(57)【要約】【課題】蛍光管保持部材がフレームから外れることを抑制することが可能な表示モジュールを提供する。【解決手段】この液晶モジュール３（表示モジュール）は、液晶パネル１１と、液晶パネル１１に光を照射するためのランプ７と、ランプ７を保持するランプ保持部材８と、ランプ保持部材８を固定するためのスライド係合用穴部６３ａおよび６３ｂと係合用穴部６３ｃとを含むリアフレーム６とを備え、ランプ保持部材８は、リアフレーム６に対してスライド移動することによって、リアフレーム６のスライド係合用穴部６３ａおよび６３ｂにそれぞれ係合するスライド係合部８５および８６と、リアフレーム６の係合用穴部６３ｃに係合する突起状係合部８７とを含む。【選択図】図５
2012230213.tif 000002
【特許請求の範囲】
【請求項１】
表示部と、
前記表示部に光を照射するための蛍光管と、
前記蛍光管を保持する蛍光管保持部材と、
前記蛍光管保持部材を固定するための係合部を含むフレームとを備え、
前記蛍光管保持部材は、前記フレームに対してスライド移動することによって、前記フレームの係合部に係合するスライド係合部を含む、表示モジュール。
【請求項２】
前記フレームの係合部は、第１穴部を有し、
前記蛍光管保持部材のスライド係合部は、前記第１穴部に挿入された状態で前記蛍光管保持部材がスライド移動した際に、前記第１穴部周辺のスライド方向側の前記フレームを挟みこむことによって、前記フレームの係合部に係合する第１スライド係合部を有する、請求項１に記載の表示モジュール。
【請求項３】
前記フレームの係合部は、第２穴部を有し、
前記蛍光管保持部材のスライド係合部は、突出形状を有する第２スライド係合部を有し、
前記第２スライド係合部は、前記蛍光管保持部材がスライド移動した後に前記第２穴部に挿入されることによって、前記フレームの係合部に係合するように構成されている、請求項１または２に記載の表示モジュール。
【請求項４】
前記蛍光管保持部材の第２スライド係合部は、前記第２穴部の穴径よりも大きい径を有する抜け止め部を有する、請求項３に記載の表示モジュール。
【請求項５】
前記蛍光管保持部材は、弾性変形可能な材料からなる、請求項１〜４のいずれか１項に記載の表示モジュール。
【請求項６】
前記フレームの係合部は、第２穴部を有し、
前記蛍光管保持部材のスライド係合部は、突出形状を有する第２スライド係合部と、前記第２スライド係合部を囲むように形成された切り欠き部とを有し、
前記切り欠き部に囲まれた前記第２スライド係合部は、前記蛍光管保持部材がスライド移動する際に、前記フレームとは反対方向に弾性変形した状態で前記フレームの表面上をスライド移動可能なように構成されているとともに、弾性変形した状態で前記フレームの表面上をスライド移動した後に、弾性変形が解除されて前記第２穴部に挿入されることによって、前記フレームの係合部に係合するように構成されている、請求項５に記載の表示モジュール。
【請求項７】
前記蛍光管保持部材は、弾性変形可能なシリコンゴムからなる、請求項５または６に記載の表示モジュール。
【請求項８】
表示部と、
前記表示部に光を照射するための蛍光管と、
前記蛍光管を保持する蛍光管保持部材と、
前記蛍光管保持部材を固定するための係合部を含むフレームと、
前記表示部、前記蛍光管、前記蛍光管保持部材および前記フレームが収納される筐体とを備え、
前記蛍光管保持部材は、前記フレームに対してスライド移動することによって、前記フレームの係合部に係合するスライド係合部を有する、表示装置。
【発明の詳細な説明】
【技術分野】
【０００１】
この発明は、表示モジュールおよび表示装置に関し、特に、蛍光管保持部材を固定するフレームを備えた表示モジュールおよび表示装置に関する。
【背景技術】
【０００２】
従来、蛍光管保持部材を固定するフレームを備えた表示モジュールおよび表示装置が知られている（たとえば、特許文献１参照）。
【０００３】
上記特許文献１には、液晶パネルと、液晶パネルの長手方向に延びる円筒状の蛍光ランプと、蛍光ランプの両端部の電極を収納する立方体形状の電極ホルダー（蛍光管保持部材）と、蛍光ランプおよび電極ホルダーが内部に配置されるフレームとを備えた液晶表示装置が開示されている。この特許文献１に記載の液晶表示装置では、蛍光ランプは、液晶パネルとフレームとの間に配置されている。また、電極ホルダーは、フレームの底面に形成された穴部に固定されている。なお、特許文献１には、電極ホルダーの具体的な固定方法に関して記載されていないため、電極ホルダーは単にフレームの穴部に嵌め込まれているだけであると考えられる。
【先行技術文献】
【特許文献】
【０００４】
【特許文献１】特開２００９−２５９７７７号公報
【発明の概要】
【発明が解決しようとする課題】
【０００５】
しかしながら、上記特許文献１に記載の液晶表示装置では、電極ホルダーはフレームの穴部に嵌め込まれているだけであると考えられるため、フレームの穴部に嵌め込まれた電極ホルダーが不意な外力に起因してフレームから外れる虞があるという問題点がある。
【０００６】
この発明は、上記のような課題を解決するためになされたものであり、この発明の１つの目的は、蛍光管保持部材がフレームから外れることを抑制することが可能な表示モジュールおよび表示装置を提供することである。
【課題を解決するための手段および発明の効果】
【０００７】
この発明の第１の局面による表示モジュールは、表示部と、表示部に光を照射するための蛍光管と、蛍光管を保持する蛍光管保持部材と、蛍光管保持部材を固定するための係合部を含むフレームとを備え、蛍光管保持部材は、フレームに対してスライド移動することによって、フレームの係合部に係合するスライド係合部を含む。
【０００８】
この発明の第１の局面による表示モジュールでは、上記のように、フレームが蛍光管保持部材を固定するための係合部を含むとともに、蛍光管保持部材が、フレームに対してスライド移動することによって、フレームの係合部に係合するスライド係合部を含むことによって、フレームの係合部と蛍光管保持部材のスライド係合部とをスライド移動させた後に係合させることにより、フレームと蛍光管保持部材との固定状態を維持することができる。これにより、蛍光管保持部材がフレームから外れることを抑制することができる。また、蛍光管保持部材がフレームから外れることを抑制するために、別途、蛍光管保持部材の外れを抑制するための部材を表示モジュールに設ける必要がないため、表示モジュールの部品点数を減少させることができる。また、蛍光管保持部材をフレームに対してスライド移動させるだけで、蛍光管保持部材をフレームに固定することができるので、ネジ部材を用いて蛍光管保持部材をフレームに固定する場合と比べて、表示モジュールの組立時の作業性を向上させることができる。
【０００９】
上記第１の局面による表示モジュールにおいて、好ましくは、フレームの係合部は、第１穴部を有し、蛍光管保持部材のスライド係合部は、第１穴部に挿入された状態で蛍光管保持部材がスライド移動した際に、第１穴部周辺のスライド方向側のフレームを挟みこむことによって、フレームの係合部に係合する第１スライド係合部を有する。このように構成すれば、フレームを挟みこむように蛍光管保持部材の第１スライド係合部をフレームの係合部に係合させることができるので、フレームの厚み方向に蛍光管保持部材が移動するのを抑制することができる。これにより、蛍光管保持部材がフレームの厚み方向にがたついたり外れたりすることを抑制することができる。
【００１０】
上記第１の局面による表示モジュールにおいて、好ましくは、フレームの係合部は、第２穴部を有し、蛍光管保持部材のスライド係合部は、突出形状を有する第２スライド係合部を有し、第２スライド係合部は、蛍光管保持部材がスライド移動した後に第２穴部に挿入されることによって、フレームの係合部に係合するように構成されている。このように構成すれば、第２スライド係合部が第２穴部に挿入される方向とは異なる方向に蛍光管保持部材が移動するのを抑制することができる。これにより、蛍光管保持部材が、第２スライド係合部が第２穴部に挿入される方向とは異なる方向にがたついたり外れたりすることをより抑制することができる。
【００１１】
この場合、好ましくは、蛍光管保持部材の第２スライド係合部は、第２穴部の穴径よりも大きい径を有する抜け止め部を有する。このように構成すれば、抜け止め部によって、第２スライド係合部が第２穴部に挿入される方向に蛍光管保持部材が移動するのを抑制することができるので、蛍光管保持部材が、第２スライド係合部が第２穴部に挿入される方向にがたつくことを確実に抑制することができる。
【００１２】
上記第１の局面による表示モジュールにおいて、好ましくは、蛍光管保持部材は、弾性変形可能な材料からなる。このように構成すれば、蛍光管保持部材のスライド係合部を、弾性変形させながらスライド移動させてフレームの係合部に係合させることができるので、容易に、フレームの係合部と蛍光管保持部材のスライド係合部とを係合させることができる。
【００１３】
この場合、好ましくは、フレームの係合部は、第２穴部を有し、蛍光管保持部材のスライド係合部は、突出形状を有する第２スライド係合部と、第２スライド係合部を囲むように形成された切り欠き部とを有し、切り欠き部に囲まれた第２スライド係合部は、蛍光管保持部材がスライド移動する際に、フレームとは反対方向に弾性変形した状態でフレームの表面上をスライド移動可能なように構成されているとともに、弾性変形した状態でフレームの表面上をスライド移動した後に、弾性変形が解除されて第２穴部に挿入されることによって、フレームの係合部に係合するように構成されている。このように構成すれば、第２スライド係合部を第２穴部との係合が外れる方向に弾性変形させないと第２スライド係合部と第２穴部との係合を解除できないように構成することができるので、第２スライド係合部が第２穴部から外れるのを有効に抑制することができる。
【００１４】
上記蛍光管保持部材が弾性変形可能な材料からなる表示モジュールにおいて、好ましくは、蛍光管保持部材は、弾性変形可能なシリコンゴムからなる。このように構成すれば、蛍光管保持部材を容易に弾性変形させながらスライド移動させてフレームの係合部に係合させることができる。
【００１５】
この発明の第２の局面による表示装置は、表示部と、表示部に光を照射するための蛍光管と、蛍光管を保持する蛍光管保持部材と、蛍光管保持部材を固定するための係合部を含むフレームと、表示部、蛍光管、蛍光管保持部材およびフレームが収納される筐体とを備え、蛍光管保持部材は、フレームに対してスライド移動することによって、フレームの係合部に係合するスライド係合部を有する。
【００１６】
この発明の第２の局面による表示装置では、上記のように、フレームが蛍光管保持部材を固定するための係合部を含むとともに、蛍光管保持部材が、フレームに対してスライド移動することによって、フレームの係合部に係合するスライド係合部を含むことによって、フレームの係合部と蛍光管保持部材のスライド係合部とをスライド移動させた後に係合させることにより、フレームと蛍光管保持部材との固定状態を維持することができる。これにより、蛍光管保持部材がフレームから外れることを抑制することができる。また、蛍光管保持部材がフレームから外れることを抑制するために、別途、蛍光管保持部材の外れを抑制するための部材を表示モジュールに設ける必要がないため、表示モジュールの部品点数を減少させることができる。また、蛍光管保持部材をフレームに対してスライド移動させるだけで、蛍光管保持部材をフレームに固定することができるので、ネジ部材を用いて蛍光管保持部材をフレームに固定する場合と比べて、表示モジュールの組立時の作業性を向上させることができる。
【図面の簡単な説明】
【００１７】
【図１】本発明の一実施形態による液晶表示装置の全体構成を示した斜視図である。
【図２】本発明の一実施形態による液晶モジュールの構成を示した分解斜視図である。
【図３】本発明の一実施形態によるリアフレームと保持部材とを示した斜視図である。
【図４】本発明の一実施形態によるリアフレームと保持部材とを示した下面図である。
【図５】図４の３００−３００線に沿った断面図である。
【図６】本発明の一実施形態によるリアフレームのＣ２側の一部を拡大して示した斜視図である。
【図７】本発明の一実施形態による保持部材を示した斜視図である。
【図８】本発明の一実施形態による保持部材を示した側面図である。
【図９】本発明の一実施形態による保持部材を示した上面図である。
【図１０】本発明の一実施形態による保持部材を示した下面図である。
【図１１】本発明の一実施形態によるリアフレームに保持部材を係合させる前の状態を示した斜視図である。
【図１２】本発明の一実施形態によるリアフレームに保持部材を係合させる前の状態を示した下面図である。
【図１３】図１２の４００−４００線に沿った断面図である。
【図１４】本発明の一実施形態による保持部材をスライド移動させた状態を示した断面図である。
【図１５】本発明の変形例によるリアフレームに保持部材を係合させた後の状態を示した断面図である。
【発明を実施するための形態】
【００１８】
以下、本発明の実施形態を図面に基づいて説明する。
【００１９】
まず、図１〜図７を参照して、本発明の一実施形態による液晶テレビジョン装置１００の構成について説明する。なお、液晶テレビジョン装置１００は、本発明の「表示装置」の一例である。
【００２０】
本発明の一実施形態による液晶テレビジョン装置１００は、図１に示すように、前方（Ａ１側）に配置される前側筐体１と、後方（Ａ２側）に配置される後側筐体２と、前側筐体１と後側筐体２との間に配置された液晶モジュール３と、液晶テレビジョン装置１００全体を支持する支持部材４と、支持部材４を支持する台座部材５とを備えている。なお、前側筐体１および後側筐体２は、本発明の「筐体」の一例であり、液晶モジュール３は、本発明の「表示モジュール」の一例である。
【００２１】
液晶モジュール３は、図２に示すように、リアフレーム６と、３本の冷陰極管（ＣＣＦＬ）からなるランプ７と、３本のランプ７をそれぞれ保持する３つのランプ保持部材８とを備えている。また、液晶モジュール３は、複数の光学シート９と、枠状の樹脂フレーム１０と、液晶パネル１１（液晶セル）と、枠体１２とを備えている。これらリアフレーム６、光学シート９、樹脂フレーム１０、液晶パネル１１および枠体１２は、所定の積層方向（Ａ方向）に積層されるように配置されている。なお、リアフレーム６は、本発明の「フレーム」の一例であり、ランプ７は、本発明の「蛍光管」の一例である。また、ランプ保持部材８は、本発明の「蛍光管保持部材」の一例であり、液晶パネル１１は、本発明の「表示部」の一例である。
【００２２】
リアフレーム６は、金属（板金）からなるとともに、ランプ７およびランプ保持部材８を収納可能な箱状に形成されている。また、リアフレーム６には、平坦面状の底部６０と、４つの側部６１と、４つの支持部６２とが形成されている。４つの側部６１は、底部６０のリアフレーム６の短手方向（Ｂ方向）およびリアフレーム６の長手方向（Ｃ方向）のそれぞれの両端部から光学シート９側（Ａ１側）に略垂直に立ち上がるように形成されている。また、４つの支持部６２は、４つの側部６１のＡ１側の端部からリアフレーム６の内側（ランプ７およびランプ保持部材８が収納される側）に延びるように形成されている。また、４つの支持部６２は、光学シート９をＡ１方向とは反対側のＡ２側から支持するように構成されている。
【００２３】
また、リアフレーム６の底部６０におけるＣ方向の一方側（Ｃ２側）には、リアフレーム６の短手方向（Ｂ方向）に並ぶように、所定の間隔を隔てて取付部６３が３箇所形成されている。この取付部６３には、図３〜図５に示すように、ランプ保持部材８が取り付けられるように構成されている。
【００２４】
また、取付部６３には、図６に示すように、Ｂ方向に間隔Ｄ１を隔てて形成されたＢ１側のスライド係合用穴部６３ａおよびＢ２側のスライド係合用穴部６３ｂと、係合用穴部６３ｃと係合用穴部６３ｃのＣ２側から接続されるケーブル通し用穴部６３ｄとが形成されている。係合用穴部６３ｃは、スライド係合用穴部６３ａおよび６３ｂの間に形成されている。また、スライド係合用穴部６３ａ、スライド係合用穴部６３ｂ、係合用穴部６３ｃおよびケーブル通し用穴部６３ｄは、共に、リアフレーム６の底部６０をＡ方向に貫通するように形成されている。なお、スライド係合用穴部６３ａおよび６３ｂは、本発明の「第１穴部」および「係合部」の一例であり、係合用穴部６３ｃは、本発明の「第２穴部」および「係合部」の一例である。
【００２５】
スライド係合用穴部６３ａおよび６３ｂは、共に、Ｂ方向に長さＬ１を有するとともに、Ｃ方向に長さＬ２を有する長方形形状に形成されている。また、係合用穴部６３ｃは、Ｂ１側のスライド係合用穴部６３ａとＢ方向に間隔Ｄ２を隔てて形成されているとともに、Ｂ２側のスライド係合用穴部６３ｂとＢ方向に間隔Ｄ３を隔てて形成されている。ここで、間隔Ｄ２は、間隔Ｄ３よりも大きい。また、係合用穴部６３ｃは、Ｃ方向の他方側（Ｃ１側）が直径Ｒ１の円弧状である半円形状を有している。
【００２６】
ケーブル通し用穴部６３ｄは、スライド係合用穴部６３ａ〜６３ｃのＣ２側に形成されているとともに、Ｂ方向に長い長方形形状を有している。また、ケーブル通し用穴部６３ｄのＣ２側の内側面のうち、後述する一対のケーブル２０ａおよび２０ｂが接触する領域には、それぞれ、曲げ部６３ｅが形成されている。この曲げ部６３ｅは、図４に示すように、ケーブル２０ａおよび２０ｂが、ケーブル通し用穴部６３ｄのＣ２側の内側面と底部６０との境界部分の角部に接触するのを抑制するために形成されている。これにより、ケーブル２０ａおよび２０ｂが破損するのを抑制することが可能である。
【００２７】
ランプ７は、図２に示すように、リアフレーム６の長手方向（Ｃ方向）に直線状に延びるとともに、Ｃ１側において半円状に曲がるＵ字形状を有している。また、ランプ７は、図５に示すように、断面形状が円環状に形成されている。また、ランプ７は、図９に示すように、Ｃ２側の一対の端子部７ａが、Ｃ２側に配置された１つのランプ保持部材８の後述する保持部８０によって保持されるように構成されている。また、一対の端子部７ａには、それぞれ、ケーブル２０ａおよび２０ｂの一方端が接続されている。
【００２８】
ランプ保持部材８は、図７〜図１０に示すように、リアフレーム６の短手方向（Ｂ方向）に長く延びる形状を有するとともに、弾性変形可能なシリコンゴムからなる。また、図７〜図９に示すように、ランプ保持部材８のＢ１側の端部周辺には、保持部８０が形成されているとともに、ランプ保持部材８のＢ２側の端部周辺には、保持部８１が形成されている。また、図７に示すように、保持部８０および８１は、Ａ１側の端面の一部がＣ方向に沿って傾斜するように形成されている。
【００２９】
また、保持部８０および８１のＢ方向の略中央には、それぞれ、溝部８０ａおよび８１ａが形成されている。この溝部８０ａおよび８１ａのＡ２側の底部近傍は、図８に示すように、側面（Ｃ１側、図７参照）から見て、断面形状が円環状のランプ７が挿入されるように円形状に形成されている。ここで、図９に示すように、溝部８０ａおよび８１ａは、弾性変形した状態でランプ７の端子部７ａおよびその周辺を挟み込むように構成されている。これにより、溝部８０ａおよび８１ａの元に戻ろうとする復元力によって、ランプ７が保持部８０および８１に対してがたつくことなく固定されるように構成されている。
【００３０】
また、保持部８０および８１のＣ２側には、それぞれ、Ｂ方向に延びる溝部８０ｂおよび８１ｂが形成されている。この溝部８０ｂは、ケーブル２０ａをＢ２側に導くように形成されている。また、溝部８１ｂは、ケーブル２０ｂをＢ１側に導くように形成されている。
【００３１】
また、ランプ保持部材８の保持部８０および８１に挟まれた領域には、Ｃ１側に形成された底部８２と、Ｃ２側に形成された底部８３とが形成されている。この底部８２および８３のＡ１側の面は、共に平坦面状に形成されているとともに、図７に示すように、底部８３は底部８２よりもＡ１側に突出するように形成されている。
【００３２】
また、図９に示すように、底部８３のＣ２側の端部近傍には、一対の穴部８３ａおよび８３ｂが形成されている。この穴部８３ａは、保持部８０のＢ２側の端部近傍に形成されており、溝部８０ｂから導かれたケーブル２０ａを、ランプ保持部材８のＡ１側からＡ２側（図１０参照）に導くように形成されている。また、穴部８３ｂは、保持部８１のＢ１側の端部近傍に形成されており、溝部８１ｂから導かれたケーブル２０ｂを、ランプ保持部材８のＡ１側からＡ２側に導くように形成されている。
【００３３】
ここで、本実施形態では、図７、図８および図１０に示すように、ランプ保持部材８のリアフレーム６側（Ａ２側）の表面８４のうち、Ｂ１側の端部周辺およびＢ２側の端部周辺には、それぞれ、Ａ２側に突出するスライド係合部８５および８６が形成されている。このスライド係合部８５および８６は、図４および図５に示すように、それぞれ、リアフレーム６のスライド係合用穴部６３ａおよび６３ｂに対応するように形成されている。また、図１０に示すように、スライド係合部８５および８６は、共にランプ保持部材８のＣ１側に形成されているとともに、Ｂ方向に間隔Ｄ４を隔てて形成されている。ここで、間隔Ｄ４は、リアフレーム６のスライド係合用穴部６３ａおよび６３ｂの間隔Ｄ１（図６参照）と略同一になるように構成されている。なお、スライド係合部８５および８６は、本発明の「第１スライド係合部」の一例である。
【００３４】
また、図８に示すように、スライド係合部８５および８６は、共に、Ｃ１側から見て略Ｌ字状の形状を有している。具体的には、スライド係合部８５および８６は、ランプ保持部材８のＡ２側の表面８４からＡ２側に延びるとともに、ランプ保持部材８の表面８４と所定の間隔Ｄ５を隔てた位置からＢ方向に沿ってＢ２側に延びるように形成されている。ここで、ランプ保持部材８の表面８４とは所定の間隔Ｄ５を隔てた位置におけるスライド係合部８５および８６は、スライド係合部８５および８６のうちで最も大きな部分に該当する。このランプ保持部材８の表面８４とは所定の間隔Ｄ５を隔てた位置におけるスライド係合部８５および８６は、図１０に示すように、Ｂ方向にスライド係合用穴部６３ａおよび６３ｂの長さＬ１（図６参照）よりも小さい長さＬ３を有するとともに、Ｃ方向にスライド係合用穴部６３ａおよび６３ｂの長さＬ２（図６参照）よりも小さい長さＬ４を有している。つまり、スライド係合部８５および８６は、それぞれ、リアフレーム６の長方形形状のスライド係合用穴部６３ａおよび６３ｂに挿入可能な大きさに形成されている。
【００３５】
また、スライド係合部８５および８６は、ランプ保持部材８の表面８４とは所定の間隔Ｄ５を隔てた位置から、表面８４から遠ざかる方向（Ａ２方向）に沿って、Ｃ方向の長さがＬ４から徐々に小さくなるように構成されている。つまり、スライド係合部８５および８６は、Ａ２側に向かって先細りの形状（テーパ状）になるように形成されている。これにより、スライド係合部８５および８６を、それぞれ、スライド係合用穴部６３ａおよび６３ｂに容易に挿入することが可能に構成されている。
【００３６】
また、スライド係合部８５および８６がランプ保持部材８の表面８４とは所定の間隔Ｄ５を隔てた状態でＢ２側に延びるように形成されることによって、スライド係合部８５および８６とランプ保持部材８の表面８４との間には、それぞれ、嵌め込み部８５ａおよび８６ａが形成されるように構成されている。ここで、間隔Ｄ５は、リアフレーム６の底部６０の厚みｔ１（図５参照）よりも若干大きい。これにより、図５に示すように、ランプ保持部材８のスライド係合部８５がリアフレーム６のスライド係合用穴部６３ａに挿入された状態で、ランプ保持部材８をリアフレーム６に対してスライド方向（Ｂ２方向）にスライド移動させた際に、嵌め込み部８５ａは、スライド係合用穴部６３ａのＢ２側の底部６０を嵌み込むように構成されている。同様に、ランプ保持部材８のスライド係合部８６がリアフレーム６のスライド係合用穴部６３ｂに挿入された状態で、ランプ保持部材８をＢ２方向にスライド移動させた際に、嵌め込み部８６ａは、スライド係合用穴部６３ｂのＢ２側の底部６０を嵌み込むように構成されている。これにより、ランプ保持部材８のスライド係合部８５および８６が、それぞれ、リアフレーム６のスライド係合用穴部６３ａおよび６３ｂに係合するように構成されている。
【００３７】
また、嵌め込み部８５ａおよび８６ａは、それぞれ、弾性変形した状態でスライド係合用穴部６３ａのＢ２側の底部６０およびスライド係合用穴部６３ｂのＢ２側の底部６０を挟み込むように構成されている。これにより、嵌め込み部８５ａの弾性変形した状態から元に戻ろうとする復元力によって、ランプ保持部材８のスライド係合部８５がリアフレーム６のスライド係合用穴部６３ａに対してがたつくことなく係合するように構成されている。同様に、嵌め込み部８６ａの弾性変形した状態から元に戻ろうとする復元力によって、ランプ保持部材８のスライド係合部８６がリアフレーム６のスライド係合用穴部６３ｂに対してがたつくことなく係合するように構成されている。
【００３８】
また、嵌め込み部８５ａおよび８６ａにリアフレーム６の底部６０が嵌め込まれることによって、ランプ保持部材８がＡ方向に移動するのが抑制されるように構成されている。また、スライド係合部８５および８６が、リアフレーム６のスライド係合用穴部６３ａのＢ２側の内側面およびスライド係合用穴部６３ｂのＢ２側の内側面にそれぞれ当接することによって、ランプ保持部材８がＢ２方向に移動するのが抑制されるように構成されている。また、図４に示すように、スライド係合部８５および８６が、リアフレーム６のスライド係合用穴部６３ａおよび６３ｂのＣ１側およびＣ２側の内側面にそれぞれ当接することによって、ランプ保持部材８がＣ方向に移動するのが抑制されるように構成されている。この結果、スライド係合部８５および８６が、それぞれ、リアフレーム６のスライド係合用穴部６３ａおよび６３ｂに係合された状態で、ランプ保持部材８がリアフレーム６に対してＡ方向、Ｂ２方向およびＣ方向に移動するのが抑制されるように構成されている。
【００３９】
また、本実施形態では、図８に示すように、ランプ保持部材８のＡ２側の表面８４のうち、スライド係合部８５および８６の間には、スライド方向であるＢ方向と略直交するＡ２側に突出する突起状係合部８７が形成されている。この突起状係合部８７は、図４および図５に示すように、リアフレーム６の係合用穴部６３ｃに対応するように形成されている。つまり、突起状係合部８７は、ランプ保持部材８をリアフレーム６に対してＢ２方向にスライド移動した後に、リアフレーム６の係合用穴部６３ｃにＡ方向に挿入されることによって、係合用穴部６３ｃに係合するように構成されている。なお、突起状係合部８７は、本発明の「第２スライド係合部」および「スライド係合部」の一例である。
【００４０】
突起状係合部８７は、図８に示すように、ランプ保持部材８のＡ２側の表面８４からＡ２側に延びるとともに、直径Ｒ２を有する円柱部８７ａと、円柱部８７ａのＡ２側の端部に設けられるとともに、直径Ｒ３を有する円柱状の抜け止め部８７ｂとを有している。これにより、円柱部８７ａと抜け止め部８７ｂとの間には、段差部８７ｃが形成されている。ここで、円柱部８７ａの直径Ｒ２は、リアフレーム６の係合用穴部６３ｃの直径Ｒ１よりも小さい一方、抜け止め部８７ｂの直径Ｒ３は、リアフレーム６の係合用穴部６３ｃの直径Ｒ１よりも大きい。
【００４１】
これにより、突起状係合部８７がリアフレーム６の係合用穴部６３ｃに挿入される際に、突起状係合部８７の抜け止め部８７ｂは、弾性変形した状態で係合用穴部６３ｃをＡ２方向に通過するように構成されている。また、図５に示すように、突起状係合部８７が係合用穴部６３ｃに挿入された後では、弾性変形していた抜け止め部８７ｂは、弾性変形が解除されるように構成されている。
【００４２】
また、突起状係合部８７がリアフレーム６の係合用穴部６３ｃに挿入された状態では、突起状係合部８７の円柱部８７ａが係合用穴部６３ｃ内に配置されるとともに、突起状係合部８７の段差部８７ｃがリアフレーム６の底部６０のＡ２側に配置されるように構成されている。この結果、ランプ保持部材８がリアフレーム６から離れる方向（Ａ１方向）に移動した場合に、突起状係合部８７の段差部８７ｃがリアフレーム６の底部６０に当接することによって、ランプ保持部材８がリアフレーム６からＡ１方向に外れるのを抑制するように構成されている。
【００４３】
また、突起状係合部８７の円柱部８７ａの内側面が、リアフレーム６の係合用穴部６３ｃに当接することによって、ランプ保持部材８がＢ方向およびＣ方向に移動するのが抑制されるように構成されている。また、上記のように、突起状係合部８７の段差部８７ｃがリアフレーム６の底部６０に当接することによって、ランプ保持部材８がＡ１方向に移動するのが抑制されるように構成されている。さらに、ランプ保持部材８のＡ２側の表面８４がリアフレーム６の底部６０に当接することによって、ランプ保持部材８がＡ２方向に移動するのが抑制されるように構成されている。この結果、突起状係合部８７がリアフレーム６の係合用穴部６３ｃに係合した状態で、ランプ保持部材８がリアフレーム６に対してＡ方向、Ｂ方向およびＣ方向に移動するのが抑制されるように構成されている。
【００４４】
また、図９および図１０に示すように、突起状係合部８７（図１０参照）に対応するランプ保持部材８の底部８２（図９参照）には、切り欠き部８８が形成されている。この切り欠き部８８は、突起状係合部８７をＢ１側から囲む半円状の曲線部と、曲線部のＣ１側およびＣ２側からＢ２側に延び、突起状係合部８７をＣ１側およびＣ２側から囲む直線部とから構成されており、平面的に見て、Ｕ字形状を有している。また、図９に示すように、切り欠き部８８の曲線部におけるＢ２側の内側面は、突起状係合部８７の円柱部８７ａにおけるＢ１側の曲線状の側面と面一になるように構成されている。また、切り欠き部８８は、突起状係合部８７がＡ１側へ弾性変形する際に、切り欠き部８８に囲まれたランプ保持部材８をＡ１側に弾性変形するために設けられている。
【００４５】
また、切り欠き部８８のＢ２側には、図７に示すように、ランプ保持部材８の底部８２からＡ１側に突出する突出部８９が設けられている。この突出部８９は、Ｂ方向に延びる部分と、Ｂ方向に延びる部分のＢ２側でＣ方向に延びる部分とから構成されており、平面的に見てＴ字状に形成されている。また、突出部８９は、突起状係合部８７がＡ１側へ変形する際に、突出部８９のＢ２側の端部よりもＢ２側のランプ保持部材８が弾性変形することを抑制するために設けられている。つまり、ランプ保持部材８は、Ｂ方向において切り欠き部８８の曲線部と突出部８９のＢ２側の端部とに挟まれるとともに、Ｃ方向において切り欠き部８８の直線部に囲まれた、突起状係合部８７を含む変形領域において、Ａ１側に弾性変形するように構成されている。また、突出部８９は、突起状係合部８７を含む変形領域のランプ保持部材８がＡ１側へ弾性変形する際に、突起状係合部８７を含む変形領域のランプ保持部材８が弾性変形に起因して破損するのを抑制する補強の機能も有している。
【００４６】
複数の光学シート９は、図２に示すように、平板状の形状を有する樹脂からなるとともに、リアフレーム６の支持部６２のＡ１側の上面上に配置されている。この光学シート９は、光を拡散させる拡散シートや光をＡ１側に向かうように導光するプリズムシートなどからなる。樹脂フレーム１０は、液晶パネル１１をＡ２側から支持されるように構成されている。液晶パネル１１は、３本のランプ７からの光に基づいて映像をＡ１側に表示する機能を有する。枠体１２は、ランプ７、ランプ保持部材８、複数の光学シート９、樹脂フレーム１０および液晶パネル１１がリアフレーム６に配置された状態で、Ａ１側からリアフレーム６を覆うように配置されている。
【００４７】
次に、図４、図５、図７および図１１〜図１４を参照して、本発明の一実施形態によるリアフレーム６にランプ保持部材８を係合させる方法について説明する。
【００４８】
まず、図７に示すように、ケーブル２０ａおよび２０ｂがそれぞれ接続されたランプ７を保持した状態のランプ保持部材８を準備する。そして、図１１〜図１３に示すように、ランプ保持部材８のスライド係合部８５および８６を、それぞれ、リアフレーム６の取付部６３を構成するスライド係合用穴部６３ａおよび６３ｂ（図１２および図１３参照）に挿入する。この際、ランプ保持部材８の穴部８３ａおよび８３ｂにそれぞれ挿入されたケーブル２０ａおよび２０ｂは、図１２に示すように、それぞれ、リアフレーム６の取付部６３のケーブル通し用穴部６３ｄを介してリアフレーム６の底部６０のＡ２側（図１３参照）に導かれる。さらに、図１３に示すように、スライド係合部８５の嵌め込み部８５ａおよびスライド係合部８６の嵌め込み部８６ａが、共に、リアフレーム６の底部６０に対応する高さ位置に位置するように配置される。
【００４９】
ここで、図１１および図１３に示すように、Ｂ方向において切り欠き部８８の曲線部と突出部８９のＢ２側の端部とに挟まれるとともに、Ｃ方向において切り欠き部８８の直線部に囲まれた、突起状係合部８７を含む変形領域において、ランプ保持部材８がＡ１側に弾性変形される。具体的には、図１３に示すように、突起状係合部８７の抜け止め部８７ｂのＡ２側の面がリアフレーム６の底部６０のＡ１側の面上に位置した状態でＢ２方向にスライド移動することが可能なように、突起状係合部８７を含む変形領域のランプ保持部材８がＡ１側に弾性変形される。
【００５０】
そして、ランプ保持部材８をリアフレーム６に対してＢ２方向にスライド移動させると、スライド係合部８５の嵌め込み部８５ａに、リアフレーム６におけるスライド係合用穴部６３ａのＢ２側の底部６０が挟み込まれる。同様に、スライド係合部８６の嵌め込み部８６ａに、リアフレーム６におけるスライド係合用穴部６３ｂのＢ２側の底部６０が挟み込まれる。また、突起状係合部８７を含む変形領域のランプ保持部材８は、弾性変形した状態を保ったままＢ２方向にスライド移動される。
【００５１】
そして、図１４に示すように、ランプ保持部材８がスライド移動した後には、スライド係合部８５の嵌め込み部８５ａにおけるＢ１側の内側面に、リアフレーム６におけるスライド係合用穴部６３ａのＢ２側の内側面が当接されるとともに、スライド係合部８６の嵌め込み部８６ａにおけるＢ１側の内側面に、リアフレーム６におけるスライド係合用穴部６３ｂのＢ２側の内側面が当接される。これにより、ランプ保持部材８の嵌め込み部８５ａおよび８６ａと、リアフレーム６のスライド係合用穴部６３ａおよび６３ｂとがそれぞれ係合されることによって、ランプ保持部材８のＡ方向、Ｂ２方向およびＣ方向の移動が抑制される。一方、突起状係合部８７を含む変形領域のランプ保持部材８は、弾性変形した状態を保ったままリアフレーム６の係合用穴部６３ｃのＡ１側に配置される。
【００５２】
その後、突起状係合部８７の抜け止め部８７ｂを、リアフレーム６の係合用穴部６３ｃを通るように弾性変形させた状態で、係合用穴部６３ｃに押し込む。これにより、図４および図５に示すように、突起状係合部８７の抜け止め部８７ｂは、弾性変形した状態でリアフレーム６の係合用穴部６３ｃを通過して、リアフレーム６のＡ２側に位置に配置される。そして、突起状係合部８７を含む変形領域のランプ保持部材８の弾性変形が解除される。これにより、突起状係合部８７の円柱部８７ａが係合用穴部６３ｃ内に配置されるとともに、係合用穴部６３ｃの周囲の底部６０のＡ２側の表面と突起状係合部８７の段差部８７ｃとが当接可能に配置される。したがって、ランプ保持部材８の突起状係合部８７とリアフレーム６の係合用穴部６３ｃとが係合されて、ランプ保持部材８のＡ方向、Ｂ方向およびＣ方向の移動が抑制される。この結果、リアフレーム６にランプ保持部材８が係合される。
【００５３】
本実施形態では、上記のように、ランプ保持部材８をリアフレーム６に対してスライド方向（Ｂ２方向）にスライド移動させた際に、ランプ保持部材８の嵌め込み部８５ａおよび８６ａと、リアフレーム６のスライド係合用穴部６３ａおよび６３ｂとをそれぞれ係合させるとともに、ランプ保持部材８の突起状係合部８７とリアフレーム６の係合用穴部６３ｃとを係合させることによって、リアフレーム６とランプ保持部材８との固定状態を維持することができる。これにより、ランプ保持部材８がリアフレーム６から外れることを抑制することができる。
【００５４】
また、本実施形態では、上記のように、ランプ保持部材８がリアフレーム６から外れることを抑制するために、別途、ランプ保持部材８の外れを抑制するための部材を液晶モジュール３に設ける必要がないため、液晶モジュール３の部品点数を減少させることができる。
【００５５】
また、本実施形態では、上記のように、ランプ保持部材８をリアフレーム６に対してスライド移動させるだけで、ランプ保持部材８をリアフレーム６に固定することができるので、ネジ部材を用いてランプ保持部材８をリアフレーム６に固定する場合と比べて、液晶モジュール３の組立時の作業性を向上させることができる。
【００５６】
また、本実施形態では、上記のように、ランプ保持部材８のスライド係合部８５がリアフレーム６のスライド係合用穴部６３ａに挿入された状態で、ランプ保持部材８をリアフレーム６に対してＢ２方向にスライド移動させた際に、嵌め込み部８５ａを、スライド係合用穴部６３ａのＢ２側の底部６０を嵌み込むように構成する。また、ランプ保持部材８のスライド係合部８６がリアフレーム６のスライド係合用穴部６３ｂに挿入された状態で、ランプ保持部材８をＢ２方向にスライド移動させた際に、嵌め込み部８６ａを、スライド係合用穴部６３ｂのＢ２側の底部６０を嵌み込むように構成する。このように構成すれば、リアフレーム６を挟みこむようにランプ保持部材８の嵌め込み部８５ａおよび８６ａをリアフレーム６のスライド係合用穴部６３ａおよび６３ｂに係合させることができるので、リアフレーム６の厚み方向（Ａ方向）にランプ保持部材８が移動するのを抑制することができる。これにより、ランプ保持部材８がリアフレーム６の厚み方向にがたついたり外れたりすることを抑制することができる。
【００５７】
また、本実施形態では、上記のように、ランプ保持部材８がスライド移動した後に、突起状係合部８７がリアフレーム６の係合用穴部６３ｃにＡ方向に挿入されることによって、突起状係合部８７が係合用穴部６３ｃに係合するように構成すれば、Ａ方向とは異なるＢ方向およびＣ方向にランプ保持部材８が移動するのを抑制することができる。これにより、ランプ保持部材８が、Ａ方向とは異なるＢ方向およびＣ方向にがたついたり外れたりすることをより抑制することができる。
【００５８】
また、本実施形態では、上記のように、抜け止め部８７ｂを、円柱部８７ａのＡ２側の端部に、直径Ｒ２よりも大きな直径Ｒ３を有するように設ければ、抜け止め部８７ｂによって、Ａ方向にランプ保持部材８が移動するのを抑制することができるので、ランプ保持部材８がＡ方向にがたつくことを確実に抑制することができる。
【００５９】
また、本実施形態では、上記のように、ランプ保持部材８が、弾性変形可能なシリコンゴムからなるように構成すれば、ランプ保持部材８のスライド係合部８５および８６を、それぞれ、弾性変形させながらスライド移動させてリアフレーム６のスライド係合用穴部６３ａおよび６３ｂに係合させることができるので、容易に、リアフレーム６のスライド係合用穴部６３ａおよび６３ｂと、ランプ保持部材８のスライド係合部８５および８６とをそれぞれ係合させることができる。また、ランプ保持部材８の突起状係合部８７を、弾性変形させながらスライド移動させてリアフレーム６の係合用穴部６３ｃに係合させることができるので、容易に、リアフレーム６の係合用穴部６３ｃとランプ保持部材８の突起状係合部８７とを係合させることができる。
【００６０】
また、本実施形態では、上記のように、ランプ保持部材８がリアフレーム６に対してスライド移動した後に、突起状係合部８７の抜け止め部８７ｂをリアフレーム６の係合用穴部６３ｃを通るように係合用穴部６３ｃに押し込むことによって、突起状係合部８７を含む変形領域のランプ保持部材８の弾性変形が解除されて、係合用穴部６３ｃの底部６０と突起状係合部８７の段差部８７ｃとを当接可能に構成する。これにより、ランプ保持部材８の突起状係合部８７とリアフレーム６の係合用穴部６３ｃとが係合されるように構成すれば、突起状係合部８７をＡ１方向に弾性変形させないと突起状係合部８７と係合用穴部６３ｃとの係合を解除できないように構成することができるので、突起状係合部８７が係合用穴部６３ｃから外れるのを有効に抑制することができる。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記実施形態では、ランプ保持部材８のＡ２側の表面８４のうち、スライド係合部８５および８６の間に、スライド方向であるＢ方向と略直交するＡ２側に突出する突起状係合部８７を形成した例を示したが、本発明はこれに限られない。本発明では、保持部材がリアフレームに対してスライド移動することによって、保持部材とリアフレームとが係合可能であるように構成されていればよい。たとえば、図１５に示す変形例のように、上記実施形態におけるリアフレーム６の係合用穴部６３ｃと、ランプ保持部材８の突起状係合部８７とを形成しないように構成してもよい。この場合、ランプ保持部材２０８がリアフレーム２０６に対してスライド移動した後において、ランプ保持部材２０８のスライド方向（Ｂ方向）への移動を抑制するように構成されていることが好ましい。具体的には、リアフレーム２０６の底部２６０のうち、スライド係合用穴部６３ａのＢ２側およびスライド係合用穴部６３ｂのＢ２側に、それぞれ、Ａ２側に突出するとともに、Ｂ１側からＢ２側に向かってＡ２側への突出高さが大きくなるような係止部２６３ｆおよび２６３ｇを設ける。また、ランプ保持部材２０８のうち、スライド係合部２８５の嵌め込み部２８５ａのＡ２側の内側面、および、スライド係合部２８６の嵌め込み部２８６ａのＡ２側の内側面に、それぞれ、Ａ２側に窪む係合穴２８５ｂおよび２８６ｂを設ける。これにより、ランプ保持部材２０８がスライド移動した後において、係止部２６３ｆおよび２６３ｇが、それぞれ、係合穴２８５ｂおよび２８６ｂに嵌まり込むことによって、ランプ保持部材２０８のスライド方向（Ｂ方向）への移動が抑制されるように構成することが可能である。
【００６３】
また、上記変形例では、上記実施形態におけるリアフレーム６の係合用穴部６３ｃと、ランプ保持部材８の突起状係合部８７とを形成しないように構成した例を示したが、本発明はこれに限られない。本発明では、上記実施形態におけるリアフレーム６の係合用穴部６３ｃと、ランプ保持部材８の突起状係合部８７とを形成する一方、リアフレーム６のスライド係合用穴部６３ａおよび６３ｂと、ランプ保持部材８のスライド係合部８５および８６とを形成しないように構成してもよい。
【００６４】
また、上記実施形態では、突起状係合部８７に、リアフレーム６の係合用穴部６３ｃの直径Ｒ１よりも大きい直径Ｒ３を有する抜け止め部８７ｂを形成した例を示したが、本発明はこれに限られない。本発明では、ランプ保持部材８のＡ方向への移動は、スライド係合部８５および８６と、スライド係合用穴部６３ａおよび６３ｂとが係合した状態で抑制することが可能であるので、突起状係合部８７に抜け止め部８７ｂを形成しなくてもよい。これにより、ランプ保持部材８の形状が複雑になるのを抑制することが可能である。
【００６５】
また、上記実施形態では、ランプ保持部材８が弾性変形可能なシリコンゴムからなる例を示したが、本発明はこれに限られない。本発明では、ランプ保持部材８を、樹脂材料などのシリコンゴム以外の材料からなるように構成してもよい。なお、ランプ保持部材８は、弾性変形可能であるのが好ましい。
【００６６】
また、上記実施形態では、本発明の「表示装置」を、液晶テレビジョン装置１００に適用した例について示したが、本発明はこれに限られない。たとえば、カーナビゲーションシステムに搭載される液晶モニタや、列車・バス・船舶・航空機などの車内（室内）に搭載される情報表示用モニタ（液晶モニタ）などに、本発明の「表示装置」を適用してもよい。
【符号の説明】
【００６７】
１  前側筐体（筐体）
２  後側筐体（筐体）
３  液晶モジュール（表示モジュール）
６、２０６  リアフレーム（フレーム）
７  ランプ（蛍光管）
８、２０８  ランプ保持部材（蛍光管保持部材）
１１  液晶パネル（表示部）
６３ａ、６３ｂ  スライド係合用穴部（第１穴部、係合部）
６３ｃ  係合用穴部（第２穴部、係合部）
８５、８６、２８５、２８６  スライド係合部（第１スライド係合部）
８７  突起状係合部（第２スライド係合部、スライド係合部）
８７ｂ  抜け止め部
８８  切り欠き部
１００  液晶テレビジョン装置（表示装置）
【図１】
2012230213.tif 000003
【図２】
2012230213.tif 000004
【図３】
2012230213.tif 000005
【図４】
2012230213.tif 000006
【図５】
2012230213.tif 000007
【図６】
2012230213.tif 000008
【図７】
2012230213.tif 000009
【図８】
2012230213.tif 000010
【図９】
2012230213.tif 000011
【図１０】
2012230213.tif 000012
【図１１】
2012230213.tif 000013
【図１２】
2012230213.tif 000014
【図１３】
2012230213.tif 000015
【図１４】
2012230213.tif 000016
【図１５】
2012230213.tif 000017